(57)【要約】【課題】  ＤＶＤ−Ｒディスクをファイナライズ処理するときに、記録内容が画像で確認できない。【解決手段】  記録されている全画像データの先頭の画像をサムネイルデータとして抽出するサムネイルデータ生成部と、サムネイルデータの記憶部と、記憶部からのサムネイルデータでサムネイル一覧表示データを生成するサムネイル一覧生成部とを制御するサムネイル制御部を設け、サムネイル画像の一覧表示画面からファイナライズ処理を実行する。  【選択図】  図１
2005210742.tif 000002
【特許請求の範囲】
【請求項１】
着脱自在の外部記録媒体に記録されている画像データ及びまたは管理情報等の各種情報を再生処理するための再生処理部と、
前記再生処理部からの画像データからサムネイル用のデータを抽出及び作成するサムネイルデータ生成部と、
前記サムネイルデータ生成部からのサムネイルデータを記憶する記憶部と、
前記記憶部からのサムネイルデータにより一画面上にサムネイル画像を一覧表示するためのデータを作成するサムネイル一覧生成部と、
前記サムネイル画像の一覧表示データをアナログの映像信号へ変換する映像信号処理部と、
操作または各種情報を入力するための入力部と、
前記サムネイルデータ生成部と前記記憶部及びサムネイル一覧生成部とを制御するためのサムネイル制御部と
を備えた光ディスク記録再生装置であって、
前記外部記録媒体としてライトワンス型の光ディスクが装着されている時に前記入力部より第１の所定の操作がなされた場合、前記サムネイル制御部は前記ライトワンス型の光ディスク上の管理情報から各画像データ毎の記録場所を読み取り、前記各画像データ毎の任意の画像のサムネイルデータを前記サムネイルデータ生成部により抽出及び作成し、作成したサムネイルデータを順次前記記憶部に記憶し、さらに前記記録部のデータからサムネイル一覧生成部によりサムネイル一覧表示データを作成することにより、サムネイル画像を一覧表示することを特徴とする光ディスク記録再生装置。
【請求項２】
請求項１に記載の光ディスク記録再生装置において、前記ライトワンス型の光ディスクはファイナライズ処理前の光ディスクであることを特徴とする光ディスク記録再生装置。
【請求項３】
請求項２に記載の光ディスク記録再生装置において、ファイナライズ処理をするための記録処理部を設け、ライトワンス型の光ディスクにファイナライズ処理をする場合、前記第１の所定の操作によりサムネイル画像の一覧表示がなされた後、第２の所定の操作によってファイナライズ処理を行うことを特徴とする光ディスク記録再生装置。
【請求項４】
着脱自在の外部記録媒体に記録されている画像データ及びまたは管理情報等の各種情報を再生処理するための再生処理部と、
前記再生処理部からの画像データからサムネイル用のデータを抽出及び作成するサムネイルデータ生成部と、
前記サムネイルデータ生成部からのサムネイルデータを記憶する記憶部と、
前記記憶部からのサムネイルデータにより一画面上にサムネイル画像を一覧表示するためのデータを作成するサムネイル一覧生成部と、
前記サムネイル画像の一覧表示データをアナログの映像信号へ変換する映像信号処理部と、
操作または各種情報を入力するための入力部と、
前記サムネイルデータ生成部と前記記憶部及びサムネイル一覧生成部とを制御するためのサムネイル制御部と
を備えた光ディスク記録再生装置であって、
装着された外部記録媒体の種類を判別する制御部を設け、前記サムネイル一覧表示データ内に前記外部記録媒体の種類を表示するためのデータを生成し、装着されたライトワンス型光ディスクがファイナライズ処理をされていない場合は第１の表示を、ファイナライズ処理をされている場合には第２の表示を行うことを特徴とする光ディスク記録再生装置。
【請求項５】
着脱自在の外部記録媒体に記録されている画像データ及びまたは管理情報等の各種情報を再生処理するための再生処理部と、
前記再生処理部からの画像データからサムネイル用のデータを抽出及び作成するサムネイルデータ生成部と、
前記サムネイルデータ生成部からのサムネイルデータを記憶する記憶部と、
前記記憶部からのサムネイルデータにより一画面上にサムネイル画像を一覧表示するためのデータを作成するサムネイル一覧生成部と、
前記サムネイル画像の一覧表示データをアナログの映像信号へ変換する映像信号処理部と、
操作または各種情報を入力するための入力部と、
前記サムネイルデータ生成部と前記記憶部及びサムネイル一覧生成部とを制御するためのサムネイル制御部と
を備えた光ディスク記録再生装置であって、
装着された外部記録媒体の種類を判別する制御部を設け、外部記録媒体の種類の判別及び判別結果により外部記録媒体上にサムネイル用のデータがある場合には前記外部記録媒体上のサムネイルデータによりサムネイル一覧表示データを生成し、外部記録媒体上にサムネイル用のデータがない場合には前記サムネイル制御部によるサムネイルデータ生成の制御をするための制御部を備え、
所定の操作がなされた場合、外部記録媒体の種類を判別し記録媒体毎に対応したサムネイル一覧表示データ作成の処理を行うことを特徴とする光ディスク記録再生装置。
【請求項６】
着脱自在の外部記録媒体に記録されている画像データ及びまたは管理情報等の各種情報を再生処理するための再生処理回路と、
前記再生処理回路からの画像データからサムネイル用のデータを抽出及び作成するサムネイルデータ生成回路と、
前記サムネイルデータ生成回路からのサムネイルデータを記憶する記憶メモリと、
前記記憶メモリからのサムネイルデータにより一画面上にサムネイル画像を一覧表示するためのデータを作成するサムネイル一覧生成回路と、
前記サムネイル画像の一覧表示データをアナログの映像信号へ変換する映像信号処理回路と、
操作または各種情報を入力するための入力回路と、
前記サムネイルデータ生成回路と前記記憶メモリ及びサムネイル一覧生成回路とを制御するためのサムネイル制御回路とを備えた光ディスク記録再生装置であって、
前記外部記録媒体としてライトワンス型の光ディスクが装着されている時に前記入力回路より所定の操作がなされた場合、前記サムネイル制御回路は前記ライトワンス型の光ディスク上の管理情報から各画像データ毎の記録場所を読み取り、前記各画像データ毎の任意の画像のサムネイルデータを前記サムネイルデータ生成回路により抽出及び作成し、
作成したサムネイルデータを順次前記記憶メモリに記憶し、さらに前記記録メモリのデータからサムネイル一覧生成回路によりサムネイル一覧表示データを作成することにより、サムネイル画像を一覧表示することを特徴とする光ディスク記録再生装置。
【発明の詳細な説明】
【技術分野】
【０００１】
本発明は、光ディスク記録再生装置に係り、ファイナライズ処理時等のサムネイル画像の一覧表示に関する技術である。
【背景技術】
【０００２】
近年、ＤＶＤ−ＲＡＭ等の光ディスクを用いた録画再生装置が登場している。この光ディスクの規格には、ＤＶＤ−ＲＡＭに代表されるような記録された情報の書き換えが可能なリライタブル型と、ＤＶＤ−Ｒに代表されるような一度記録された情報の書き換えが困難なライトワンス型がある。リライタブル型媒体の代表であるＤＶＤ−ＲＡＭは、録画と消去が繰り返し行えるが、ライトワンス型媒体の代表であるＤＶＤ−Ｒは、一度録画した映像を消すことは難しいという特徴がある。また、リライタブル型のＤＶＤ−ＲＡＭは対応した再生装置でないと再生できないが、ライトワンス型のＤＶＤ−Ｒはファイナライズ処理と呼ばれる書き込み終端処理を行うことにより、広く普及しているＤＶＤプレーヤ（再生装置）で再生が可能になる特徴があり、ＤＶＤ−Ｒで記録出来る録画再生装置が増えてきている。
【０００３】
このような光ディスクを利用した録画再生装置では、ランダムアクセス性を利用するために、入力または記録された画像の代表的な場面の縮小画であるサムネイル画像をモニタなどに一覧表示し、目的の画像への検索性を向上させている装置が多い。サムネイル画像を一覧表示することを、ここではナビゲーションと呼ぶ。
【０００４】
ナビゲーション画面（以下、ナビ画面と略す）を出画する方法の１つとして、例えば特開２００１−１１１９６３が実用化されている。これは、記録時に録画データとは別のＴＯＣ（Ｔａｂｌｅ  Ｏｆ  Ｃｏｎｔｅｎｔｓ）情報用等の記録領域または独自の専用領域にサムネイル画像を表示するためのサムネイルデータ（縮小画像データ）を生成し記録しておくものである。光ディスクがリライタブル型の場合は、記録される領域が不連続であっても許容されるので、サムネイルデータを記録するための領域を準備し記録時にサムネイルデータを記録することが可能なシステムとなっている。また、サムネイルデータがない場合でも、再生時に画像ファイルを読み込みサムネイル一覧データを作成し、サムネイルデータ用の領域に記録することも可能である。しかしながら、光ディスクがライトワンス型の場合には、記録するデータは順次連続的に書き込まれる必要があるので、記録時には別の領域にサムネイルデータを記録しないシステムとなっている。
【０００５】
また一方で、ＤＶＤ−Ｒのようなライトワンス型の光ディスクは、ファイナライズと呼ばれる書き込み終端処理をおこなうことにより、一般的に広く普及しているＤＶＤプレーヤで再生が可能となる特徴がある。このファイナライズ処理を行う時の操作方法としては、メニュー画面等からファイナライズの項目を選択して、処理を行う方法が一般的である。この例としては松下電器産業株式会社製ＤＶＤビデオレコーダー「ＤＭＲ−Ｅ２０」の取扱説明書５５ページ及びソニー株式会社製デジタルスチルカメラ「ＭＶＣ−ＣＤ２００／ＣＤ３００」の取扱説明書３２〜３３ページにある。この松下電器産業株式会社製ＤＶＤビデオレコーダ「ＤＭＲ−Ｅ２０」を例に取ると、「トップウィンドウ」というメニュー画面から「ディスク管理」下の「ファイナライズ」の項目を選択するとファイナライズ処理が行われる。このとき画面には、装着されている光ディスクの内容として番組数、録画時間、残量、マーカー数が文字により表示されており、ファイナライズ処理をしようとしている光ディスクの内容が文字情報により確認できる。
【発明の開示】
【発明が解決しようとする課題】
【０００６】
しかしながら、上記従来技術では、ライトワンス型光ディスクの場合、記録時に光ディスク上の画像データとは別の領域にサムネイルデータを記録することはできないので、ライトワンス型の光ディスクの場合にサムネイル画像の一覧（ナビ画面）を表示することは配慮されていない。そのため、ライトワンス型の光ディスクの場合にはサムネイル画像の一覧（ナビ画面）の表示がないことにより、文字情報でしか内容が確認できず画像で内容が確認できないため、自分の見たい画像へ飛べない場合があり、検索性が不便となる問題があった。さらには、ファイナライズ処理前のライトワンス型の光ディスクのファイナライズ処理をしようとした場合に、光ディスクの記録内容を確認する方法として、番組数、録画時間、残量、マーカー数等の文字情報でしか確認できず、画像で確認ができないという問題があった。さらには、ナビ画面を呼出す操作時に、ライトワンス型の光ディスクが装着されている場合には、ナビ画面が表示できないので、操作を受付けないかまたはアラーム報知等が必要になり、同じ操作でも装置の動作が違いユーザに混乱を招く場合があり、使い勝手が不便になるという問題があった。
【０００７】
本発明の目的は、ライトワンス型の光ディスクを用いた場合にもサムネイル画像を一覧表示できるとともに、ファイナライズ処理時にも記録内容のサムネイル画像を一覧表示することにより画像による内容確認ができる光ディスク記録再生装置を提供することにある。
【課題を解決するための手段】
【０００８】
上記課題を解決するために、本発明は、着脱自在の外部記録媒体に記録されている画像データ及びまたは管理情報等の各種情報を再生処理するための再生処理部と、再生処理部からの画像データからサムネイル用のデータを抽出及び作成するサムネイルデータ生成部と、サムネイルデータ生成部からのサムネイルデータを記憶する記憶部と、記憶部からのサムネイルデータにより一画面上にサムネイル画像を一覧表示するためのデータを作成するサムネイル一覧生成部と、サムネイル一覧生成部からのサムネイル画像の一覧表示データをアナログの映像信号へ変換する映像信号処理部と、本装置の操作または各種情報を入力するための入力部と、サムネイルデータ生成部と記憶部及びサムネイル一覧生成部とを制御するためのサムネイル制御部とを備えた光ディスク記録再生装置であって、外部記録媒体としてライトワンス型の光ディスクが装着されている時に入力部より第１の所定の操作がなされた場合、サムネイル制御部はライトワンス型の光ディスク上の管理情報から各画像データ毎の記録場所を読み取り、各画像データ毎の任意の画像のサムネイルデータをサムネイルデータ生成部により抽出及び作成し、作成したサムネイルデータを順次前記記憶部に記憶し、さらに記録部のデータからサムネイル一覧生成部によりサムネイル一覧表示データを作成することにより、サムネイル画像を一覧表示することができることを特徴とする。
【０００９】
さらには、前記ライトワンス型の光ディスクはファイナライズ処理前の光ディスクであることを特徴とする。これにより、ライトワンス型の光ディスクの場合、さらにはファイナライズ処理前の場合にもサムネイルデータを作成し、サムネイル画像の一覧表示であるナビ画面が表示でき検索性が改善する。
【００１０】
さらには、ファイナライズ処理をするための記録処理部を設け、ライトワンス型の光ディスクにファイナライズ処理をする場合、前記第１の所定の操作によりサムネイル画像の一覧表示がなされた後、第２の所定の操作によってファイナライズ処理を行うことを特徴とする。これにより、ファイナライズ処理する場合、ナビ画面の表示から操作することにより、記録内容を画像で確認することができる。
【００１１】
さらには、装着された外部記録媒体の種類を判別する制御部を設け、前記サムネイル一覧表示データ内に前記外部記録媒体の種類を表示するためのデータを生成し、装着されたライトワンス型光ディスクがファイナライズ処理をされていない場合は第１の表示を、ファイナライズ処理をされている場合には第２の表示を行うことを特徴とする。これにより、ライトワンス型の光ディスクの場合にファイナライズ処理の前後で表示を変わるので、視認性が改善する。
【００１２】
さらには、外部記録媒体の種類の判別及び判別結果により外部記録媒体上にサムネイル用のデータがある場合には前記外部記録媒体上のサムネイルデータによりサムネイル一覧表示データを生成し、外部記録媒体上にサムネイル用のデータがない場合には前記サムネイル制御部によるサムネイルデータ生成の制御をするための制御部を備え、所定の操作がなされた場合、外部記録媒体の種類を判別し記録媒体毎に対応したサムネイル一覧表示データ作成の処理を行うことを特徴とする。これにより、ナビ画面を呼出す操作時、光ディスクの種類に関係無くナビ画面が表示できるので、使い勝手が向上する。
【００１３】
本発明により、ライトワンス型の光ディスクを用いた場合のファイナライズ処理時に、内容のサムネイル画像を一覧表示することにより画像による内容の確認ができる。
【発明の効果】
【００１４】
以上説明したように、本発明によれば、ライトワンス型の光ディスクを用いた場合のファイナライズ処理時に、内容のサムネイル画像を表示することにより画像による内容の確認が可能となる。
【発明を実施するための最良の形態】
【００１５】
以下、本発明の実施例について、ＤＶＤカメラに適用した一実施例を図１から図７を使用して説明する。本発明では、外部記録媒体としてリライタブル型の光ディスクとしてＤＶＤ−ＲＡＭ／ＤＶＤ−ＲＷを、ライトワンス型の光ディスクとしてＤＶＤ-Ｒの両方に対応した光ディスク記録再生装置を前提としている。尚、図面中同じもの及び類似のものは同じ符号としている。
【００１６】
図１は、本発明による光ディスク記録再生装置での構成図の一実施例である。図１において、１は映像信号入力部、２は映像信号をデジタル信号に変換する等の各種の信号処理をするための映像信号処理部、３はデジタル映像信号の圧縮データを生成するためのデジタル映像圧縮部、４は圧縮データ及び各種のデータを外部記録媒体に記録するための記録処理部、５はファイナライズ処理をするために使用するディスクナビ釦、メニュー釦、カーソル釦、決定釦を含む各種釦等の入力部、６は外部記録媒体の種類を判別及び本装置全体の各種の制御をするための制御部、７は外部記憶媒体である光ディスクのサムネイルデータを生成するための各種制御をするサムネイル制御部、８はサムネイルデータを記憶するための記憶部、９は装着自在な光ディスク等の外部記録媒体（本装置外）、１０は外部記録媒体９（以下光ディスクと称す）の画像データ及びサムネイルデータ、管理情報等を再生するための再生処理部、１１は再生処理部１０からの画像データからサムネイル用のデータを抽出及び作成するサムネイルデータ生成部、１２は記憶部８からのサムネイルデータにより一画面上にサムネイル画像を一覧表示するためのデータを作成するサムネイル一覧生成部、１３は光ディスク９に記録されている圧縮データを伸長するためのデジタル映像伸長部、１４はデジタル映像伸長部１３からの伸長データ及びサムネイル一覧生成部１２からのデータをアナログ変換するとともに各種の信号処理をするための映像信号処理部、１５はアナログ変換された信号を表示するための表示部である。ここで、表示部１５は本装置ではなく外部の表示装置でも構わない。
【００１７】
ここで、１〜１５の各部の具体的な実施例を説明すれば、１の映像信号入力部は、本実施例ではここからカメラからの映像信号、外部入力からの映像信号等を入力する装置であり。この入力部は、単なる配線や端子で接続された回路のみならず、信号を無線で受信すること(TV電話等)でも良いし、内蔵チューナー等の場合も可能である。２の映像信号処理部、３のデジタル映像圧縮部、４の記録処理部、６の制御部、７のサムネイル制御部、１０の再生処理部、１１のサムネイルデータ生成部、１２のサムネイル一覧生成部、１３のデジタル映像伸長部、１４の映像信号処理部の各々は回路であっても良く、また、マイコン等によるマイコンソフトでの処理であっても良い。５の入力部である操作釦は、前記の各操作釦であっても良いし、また、リモコンからのリモコンコード受信、PCからの遠隔操作(RS-232C等)であっても良い。８の記憶部は内蔵メモリ等がある。９の外部記録媒体（本装置外）は装着自在な光ディスク等の外部記録媒体であり、ファイナライズが必要なライトワンス媒体を含み、また光ディスク記録再生装置などであってもよい。１５の表示部は回路であっても良いし、LCD、EVF、外部出力(TV等)であって良い。
【００１８】
次に、ファイナライズ処理前のライトワンス型光ディスク９が装着された時のサムネイルデータ生成及びサムネイル画像の一覧表示の信号の流れの概要を説明する。入力部５のディスクナビ釦（図示せず）を押すと制御部６の制御により、再生処理部１０を経由して光ディスク９の管理情報領域から画像オブジェクトデータの位置を読取り、対象の画像オブジェクトを再生し、サムネイル制御部７の制御によりサムネイルデータ生成部１１により画像オブジェクトの先頭の画像を抽出し、サムネイルデータを生成する。生成したサムネイルデータはサムネイル制御部７を経由して記憶部８に記憶する。これを光ディスク９に記録されている全画像オブジェクトまたは所定個数の画像オブジェクトの数の回数だけ繰返す。
【００１９】
次に、記憶部８に記憶された少なくとも一つ以上の任意の数の画像オブジェクトのサムネイルデータを読取り、サムネイル一覧生成部１２にて、サムネイル一覧表示データを生成する。ここで、任意の数のサムネイルデータとしては例えば、一画面上に１２個のサムネイル画像を表示するシステムでは１２個のサムネイルデータを読取る。また、サムネイルデータが１２個より少ない場合は、全サムネイルデータを読取る。サムネイル一覧データは映像信号処理部１４によりアナログ変換されるとともに文字情報等の各種情報を加えて、表示部１５で、サムネイル画像の一覧表示がナビ画面として表示される。この後、ナビ画面のサムネイル画像の一覧表示を見ながら、入力部５のメニュー釦（図示せず）及びカーソル釦等によりファイナライズ処理を行うことができる。
【００２０】
次に、図２、図３を使用してナビ画面のサムネイル画像の一覧表示の表示例及びナビ画面のサムネイル画像の一覧表示からの画像オブジェクトの再生の操作について説明する。
【００２１】
図２は、本発明によるサムネイル画像の一覧表示の表示画面（以下、ナビ画面と称す）の一実施例である。図２（ａ）はＤＶＤ−ＲＡＭディスクが装着された時、図２（ｂ）はＤＶＤ−Ｒディスクが装着された時のナビ画面である。図３は、入力部５にあるサムネイル画像を選択する時及び各種項目を選択するために使用するカーソル釦及び決定釦の一実施例である。図２（ａ）（ｂ）において、２１はナビ画面全体、２２は現在の表示内容の表示、２３はサムネイル画像（本図ではＡからＬまでの１２個ある）、２４は選択しているサムネイル画像を示すカーソル位置表示、２５、２６は装着されている光ディスク９の種類を示す。ＤＶＤ−ＲＡＭディスクの時は「ＲＡＭ」、ＤＶＤ−Ｒディスクの時は「Ｒ」と表示する。また、他の種類の光ディスクの場合にもこの位置に光ディスクの種類を識別するための表示をする。尚、ＤＶＤ−Ｒディスクの時はファイナライズ処理前後で表示を変えるようにしているが、これについては後述する。
【００２２】
また、ここでは、装着された光ディスク９の種類を判別し、種類によって、自動的にサムネイルデータ抽出及びサムネイル一覧データ作成の方法を切替えて、表示するようにしているがこれについても後述する。
【００２３】
図３において、３１は選択した項目を決定するための決定釦、３２は上方向に移動させるための上カーソル釦、３３は下方向に移動させるための下カーソル釦、３４は左方向に移動させるための左カーソル釦、３５は右方向に移動させるための右カーソル釦である。
【００２４】
次に、サムネイル画像Ｂを再生するときの操作について説明する。まず入力部５のディスクナビ釦（図示せず）を押すと、図２の（ａ）または（ｂ）の画面となる。現在カーソル位置表示２４はサムネイル画像Ａの所にあるため、右カーソル釦３５を１回押し、カーソル位置表示２４をサムネイル画像Ｂに移動させた後、入力部５の再生釦を押すと、対象の画像オブジェクトを再生することができる。
【００２５】
次に、図４と図５を使用してファイナライズ前のＤＶＤ−Ｒディスクにおけるナビ画面からファイナライズ処理を行うための操作方法及び画面表示について説明する。図４（ａ）は図２（ｂ）のナビ画面から入力部５のメニュー釦（図示せず）を押した時のメニュー機能画面、図４（ｂ）はさらに下カーソル釦３３で「ＤＳＣ」を選択した時の表示画面、図４（ｃ）はさらに右カーソル釦３５と下カーソル釦３３で「ファイナライズ」を選択した時の表示画面の一実施例である。図５（ａ）は図４（ｃ）で「ファイナライズ」を選択後、決定釦３１を押した時のファイナライズ処理開始の確認画面、図５（ｂ）はさらに処理開始を選択した時のファイナライズ中の画面、図５（ｃ）はファイナライズ処理終了時の表示画面、図５（ｄ）はファイナライズ終了後の表示画面の一実施例である。
【００２６】
図２（ｂ）のナビ画面で入力部５のメニュー釦（図示せず）を押すと現在の表示内容が全プログラム２２からプログラム４２に変化し、ＰＲＯ（プログラム）４３、ＤＳＣ（ディスク）４５等のプログラムメニューを選択する画面となる。ここで、下カーソル３３を２回押すと図４（ｂ）のＤＳＣ（ディスク）４５を選択した画面となり、さらに右カーソル３５、下カーソル３３を１回ずつ押すと図４（ｃ）のファイナライズ４６を選択した画面となる。この、図２（ｂ）から図４（ｃ）までの間、光ディスク９に記録されている画像オブジェクトのサムネイル画像を見ることができるので、ファイナライズ前に画像により記録内容を確認できる。これにより、間違って光ディスクをファイナライズ処理することが回避できる。
【００２７】
ここで、サムネイル画像だけではなく、番組数、録画時間、残量、マーカー数等の文字情報を表示するようにしても構わない。
【００２８】
図４（ｃ）で決定釦３１によりファイナライズ処理を決定すると、図５（ａ）で表示内容の個所がファイナライズ用画面５２となり、ファイナライズ処理をしてよいかを確認し「はい」５３を選択決定すると、図５（ｂ）でファイナライズ中の表示となり、図５（ｃ）でファイナライズ処理終了の表示となる。その後、図５（ｄ）のようにナビ画面に戻る。尚、この時、このＤＶＤ−Ｒディスクはファイナライズ処理が終っているので、光ディスクの種類表示の「Ｒ」２６が「Ｆ」５４に変わる。
【００２９】
次に、図６、図７を使用してファイナライズ前のＤＶＤ−Ｒディスクにおけるサムネイル画像の一覧表示画面（ナビ画面）からファイナライズ処理を行うための処理及び他の光ディスク時のナビ画面表示の手順について説明する。図６はサムネイル画像の一覧表示からファイナライズ処理までの全体の処理の流れを示したフローチャートの一実施例である。図７はサムネイル生成処理の流れを示したフローチャートの一実施例である。まず、図６により全体の流れを説明する。
【００３０】
入力部５のディスクナビ釦（図示せず）が押されると（ステップ６０１）、ステップ６０２でサムネイル生成処理を行い、サムネイル一覧データを生成する。ステップ６０３でサムネイル画像の一覧表示であるナビ画面（図２（ａ）（ｂ））を表示し、入力部５のメニュー釦（図示せず）が押されるのを待つ。ステップ６０４で入力部５のメニュー釦（図示せず）が押されると、ステップ６０５でメニュー機能の画面表示（図４（ａ））を表示し、ステップ６０６及びステップ６０７でファイナライズ４６が選択されるのを待つ。ステップ６０７でファイナライズ４６が選択され、ステップ６０８で決定釦３１を押すと、ステップ６０９でファイナライズ処理を実行し、ファイナライズ処理が終了するとステップ６１０で光ディスク９の種類の表示を「Ｒ」２６から「Ｆ」５４に変えて、ステップ６０３のナビ画面に戻る。
【００３１】
ここで、ステップ６０４及びステップ６０６でそれぞれメニュー釦、カーソル釦以外の釦が押された場合はそれぞれの釦に対応した処理が実行される。また、フォーマット前のＤＶＤ−Ｒ及びＤＶＤ−ＲＷディスク以外の光ディスクの場合はメニュー画面（図４（ｂ））で、ファイナライズの項目表示を出さないようにして、ステップ６０７へ進めないようになっている。
【００３２】
次に、図７によりサムネイル一覧データの生成処理の流れの一実施例を説明する。図６のステップ６０２でサムネイル生成処理に入ると（ステップ７０１）、ステップ７０２で装着されている光ディスク９の種類を判別する。ここで、ディスク装着時に既に判別している場合には、ここでは確認処理としても構わない。判別結果がＤＶＤ−Ｒディスクの場合は、ステップ７０３で光ディスク９上の管理情報の領域にある管理情報を読取り、対象の画像オブジェクトを再生し、ステップ７０４で先頭の画像情報を抽出しサムネイルデータを生成する。生成されたサムネイルデータはステップ７０５で記憶部８に記憶される。ステップ７０６で光ディスクに記録されている全画像オブジェクトの先頭の画像情報の入手及びサムネイルデータを抽出、生成したかを確認し、全オブジェクト先頭の画像情報を入手及びサムネイルデータを記憶するまでステップ７０３に戻り繰返す。ステップ７０６で全画像オブジェクトの先頭の画像情報を入手及びサムネイルデータを記憶したことが確認されるとステップ７０７で記憶部８から少なくとも一つ以上の任意の数の画像オブジェクトのサムネイルデータを読取り、ステップ７０８でサムネイル一覧表示データを生成し、処理を終了する（ステップ７０９）。その後、図６のステップ６０３でナビ画面の表示となる。
【００３３】
ここで、任意の数のサムネイルデータとしては例えば、一画面上に１２個のサムネイル画像を表示するシステムでは１２個のサムネイルデータを読取る。また、サムネイルデータが１２個より少ない場合は、全サムネイルデータを読取る。
【００３４】
ステップ７０２で判別結果がＤＶＤ−Ｒディスク以外の場合には、ステップ７１１で光ディスク上の管理情報の領域にある管理情報を読取る。この場合には管理情報内または専用領域にサムネイルデータがあるため、ステップ７１２でサムネイルデータを読取り、ステップ７１３で記憶部８に記憶する。ステップ７１４で記憶部８からサムネイルデータを読取り、ステップ７１５でサムネイル一覧表示データを生成し、処理を終了する（ステップ７０９）。
【００３５】
ここで、サムネイル一覧表示データを記憶部８に記憶せず、ステップ７１２からステップ７１５にジャンプする処理にしても構わない。
【００３６】
尚、本発明において、生成したサムネイル一覧表示データを記憶部８に記憶するようにしても構わない。
【００３７】
本実施例では、ステップ７０６で全画像オブジェクトの画像情報としたが、任意の個数の画像オブジェクトの画像情報を入手及びサムネイルデータを記憶したことが確認されたらナビ画面を表示するようにしても良い。例えば、一画面のサムネイル画像の数が１２個の場合は１２個の画像オブジェクトの画像情報を入手、記憶する。この時、さらに次のナビ画面（サムネイル画像）を表示したい場合は、次のナビ画面への操作時に画像オブジェクトの画像データを入手及びサムネイルデータの記憶をするようにする。これにより、ナビ画面の表示までの時間を短縮できる。特に、記録されている画像オブジェクトが多い場合には効果がある。
【００３８】
またここで、一度記憶したサムネイルデータは記憶部８に保持するようにしておけば、毎度呼び込むことが不要になり、前のナビ画面を呼出したりする場合の操作性が改善できる。
【００３９】
本実施例では、サムネイル画像用の画像の取り込みタイミングを画像オブジェクトの先頭画像としたが、これに限るものではなく任意の時間タイミングの画像を取り込むようにしても構わない。
【００４０】
本実施例では、ディスクナビ釦、メニュー釦、カーソル釦等を使用した操作及び表示例で説明したが、操作及び表示内容はこれに限るものではないことは言うまでもない。例えば、入力部として釦の他にマウス、キーボード、タッチパネル等による入力でも構わない。
【００４１】
本実施例では、ファイナライズ後のＤＶＤ−Ｒディスクもステップ７０３からの処理で説明したが、ＤＶＤ−Ｒディスクの管理情報領域または専用領域にサムネイルデータがある光ディスクに対応する場合には、ステップ７０２の次に、管理情報領域または専用領域の情報を読取り、サムネイルデータが検知された時にはステップ７１１からの処理とするようにしても構わない。
【００４２】
本実施例にて説明した処理の流れ及び処理方法は一例であり、処理の順序及び処理方法等はこれに限るものではなく、他の順序及び処理方法であっても構わない。例えば、本実施例ではサムネイル画像の一覧表示の画面（ナビ画面）からメニュー釦にてファイナライズ処理するための操作に入っているが、最初にサムネイル画像の一覧表示がなくても、ファイナライズ処理するための操作の途中の段階で表示するようにしても構わない。
【００４３】
本実施例では、光ディスクとしてＤＶＤ−ＲＡＭ、ＤＶＤ−ＲＷ及びＤＶＤ−Ｒで説明したが、これに限るものではなく他の光ディスクの種類でも構わない。
【図面の簡単な説明】
【００４４】
【図１】本発明による光ディスク記録再生装置での一実施例を示す構成図。
【図２】本発明によるサムネイル一覧表示画面の一実施例。
【図３】本発明によるサムネイル画像選択時、使用するカーソル釦及び決定釦の一実施例。
【図４】本発明によるメニュー機能画面の一実施例。
【図５】本発明によるファイナライズ処理時の表示画面の一実施例。
【図６】本発明による全体の処理の流れを示した一実施例のフローチャート。
【図７】本発明によるサムネイル生成処理の流れを示した一実施例のフローチャート。
【符号の説明】
【００４５】
１…映像信号入力部、２…映像信号処理部、３…デジタル映像圧縮部、４…記録処理部、５…入力部、６…制御部、７…サムネイル制御部、８…記憶部、９…外部記録媒体（本装置外）、１０…再生処理部、１１…サムネイルデータ生成部、１２…サムネイル一覧生成部、１３…デジタル映像伸長部、１４…映像信号処理部、１５…表示部、２１…画面全体、２２…現在の内容の表示、２３…サムネイル画像、２４…カーソル位置表示、２５、２６…光ディスクの種類表示３１…決定釦、３２…上カーソル釦、３３…下カーソル釦、３４…左カーソル釦、３５…右カーソル釦。
【図１】
2005210742.tif 000003
【図２】
2005210742.tif 000004
【図３】
2005210742.tif 000005
【図４】
2005210742.tif 000006
【図５】
2005210742.tif 000007
【図６】
2005210742.tif 000008
【図７】
2005210742.tif 000009
【手続補正書】
【提出日】平成17年3月22日(2005.3.22)
【手続補正１】
【補正対象書類名】特許請求の範囲
【補正対象項目名】全文
【補正方法】変更
【補正の内容】
【特許請求の範囲】
【請求項１】
画像データをライトワンス型光ディスクに記録し、前記光ディスクに記録される画像データを再生する光ディスク記録再生装置であって、
前記画像データの代表画である縮小画を生成する縮小画生成手段と、
前記縮小画生成手段が生成する縮小画を表示手段に出力する出力手段と、
前記画像データの記録された光ディスクの書込み終端処理を行う書込み終端処理手段と、
前記書込み終端処理を選択し、前記書込み終端処理の実行を指示する終端処理指示手段と、を有し、
前記終端処理指示手段による書込み終端処理の選択の後、前記出力手段が表示手段に縮小画を出力する光ディスク記録再生装置。
【請求項２】
画像データをライトワンス型光ディスクに記録し、前記光ディスクに記録される画像データを再生する光ディスク記録再生方法であって、
前記画像データの代表画である縮小画を生成し、
ユーザが前記光ディスクの書込み終端処理であるファイナライズの選択の後、前記縮小画を表示手段に出力する光ディスク記録再生方法。
【請求項３】
光ディスクに記録されている画像データの代表画である縮小画を表示手段に一覧表示し、
前記光ディスクの書込み終端処理であるファイナライズを行うためのメニューを含むメニュー画面を前記縮小画一覧に重ね表示し、
前記メニューの内、ファイナライズを選択し、
ファイナライズ処理を実行する光ディスク記録再生方法。
【手続補正２】
【補正対象書類名】明細書
【補正対象項目名】０００８
【補正方法】変更
【補正の内容】
【０００８】
上記目的は、特許請求の範囲に記載の発明により達成できる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００４３
【補正方法】変更
【補正の内容】
【００４３】
本実施例では、光ディスクとしてＤＶＤ−ＲＡＭ、ＤＶＤ−ＲＷ及びＤＶＤ−Ｒで説明したが、これに限るものではなく他の光ディスクの種類でも構わない。以上より、本実施例では、着脱自在の外部記録媒体に記録されている画像データ及びまたは管理情報等の各種情報を再生処理するための再生処理部と、再生処理部からの画像データからサムネイル用のデータを抽出及び作成するサムネイルデータ生成部と、サムネイルデータ生成部からのサムネイルデータを記憶する記憶部と、記憶部からのサムネイルデータにより一画面上にサムネイル画像を一覧表示するためのデータを作成するサムネイル一覧生成部と、サムネイル一覧生成部からのサムネイル画像の一覧表示データをアナログの映像信号へ変換する映像信号処理部と、本装置の操作または各種情報を入力するための入力部と、サムネイルデータ生成部と記憶部及びサムネイル一覧生成部とを制御するためのサムネイル制御部とを備えた光ディスク記録再生装置であって、外部記録媒体としてライトワンス型の光ディスクが装着されている時に入力部より第１の所定の操作がなされた場合、サムネイル制御部はライトワンス型の光ディスク上の管理情報から各画像データ毎の記録場所を読み取り、各画像データ毎の任意の画像のサムネイルデータをサムネイルデータ生成部により抽出及び作成し、作成したサムネイルデータを順次前記記憶部に記憶し、さらに記録部のデータからサムネイル一覧生成部によりサムネイル一覧表示データを作成することにより、サムネイル画像を一覧表示することができることを特徴とする。さらには、前記ライトワンス型の光ディスクはファイナライズ処理前の光ディスクであることを特徴とする。これにより、ライトワンス型の光ディスクの場合、さらにはファイナライズ処理前の場合にもサムネイルデータを作成し、サムネイル画像の一覧表示であるナビ画面が表示でき検索性が改善する。さらには、ファイナライズ処理をするための記録処理部を設け、ライトワンス型の光ディスクにファイナライズ処理をする場合、前記第１の所定の操作によりサムネイル画像の一覧表示がなされた後、第２の所定の操作によってファイナライズ処理を行うことを特徴とする。これにより、ファイナライズ処理する場合、ナビ画面の表示から操作することにより、記録内容を画像で確認することができる。さらには、装着された外部記録媒体の種類を判別する制御部を設け、前記サムネイル一覧表示データ内に前記外部記録媒体の種類を表示するためのデータを生成し、装着されたライトワンス型光ディスクがファイナライズ処理をされていない場合は第１の表示を、ファイナライズ処理をされている場合には第２の表示を行うことを特徴とする。これにより、ライトワンス型の光ディスクの場合にファイナライズ処理の前後で表示を変わるので、視認性が改善する。さらには、外部記録媒体の種類の判別及び判別結果により外部記録媒体上にサムネイル用のデータがある場合には前記外部記録媒体上のサムネイルデータによりサムネイル一覧表示データを生成し、外部記録媒体上にサムネイル用のデータがない場合には前記サムネイル制御部によるサムネイルデータ生成の制御をするための制御部を備え、所定の操作がなされた場合、外部記録媒体の種類を判別し記録媒体毎に対応したサムネイル一覧表示データ作成の処理を行うことを特徴とする。これにより、ナビ画面を呼出す操作時、光ディスクの種類に関係無くナビ画面が表示できるので、使い勝手が向上する。さらには、ライトワンス型の光ディスクを用いた場合のファイナライズ処理時に、内容のサムネイル画像を一覧表示することにより画像による内容の確認ができる。